(57)【要約】【課題】ネジの緩みの発生を回避してビューファインダの脱落を防止することが可能なネジ固定機構を提供する。【解決手段】ビューファインダ固定装置１０１は、ホルダ６と、リング４と、ワッシャ５と、ダボ５ｃと、複数の内周凹凸部４ｃと、を備えている。ホルダ６は、雄ネジ部６ａを有する。リング４は、雄ネジ部６ａに螺合する雌ネジ部４ｄを有する。ワッシャ５は、ホルダ６とリング４との間に設けられている。ダボ５ｃは、ワッシャ５に設けられている。複数の内周凹凸部４ｃは、リング４に周方向に沿って設けられており、リング４を回転させると雄ネジ部６ａおよび雌ネジ部４ｄによってホルダ６およびリング４が近接することに伴って、ワッシャ５およびリング４が近接していき、ワッシャ５およびリング４が所定の距離まで近接した際にダボ５ｃと接触する。【選択図】図７
2014074883.tif 000002
【特許請求の範囲】
【請求項１】
雄ネジ部を有する第１の部材と、
前記雄ネジ部に螺合する雌ネジ部を有する回転つまみと、
前記第１の部材と前記回転つまみとの間に設けられた第２の部材と、
前記回転つまみおよび前記第２の部材のいずれか一方に設けられた突起部と、
前記第２の部材および前記回転つまみのいずれか一方に周方向に沿って設けられており、前記回転つまみを回転させると前記雄ネジ部および前記雌ネジ部によって前記第１の部材および前記回転つまみが近接することに伴って、前記第２の部材および前記回転つまみが近接していき、前記第２の部材および前記回転つまみが所定の距離まで近接した際に前記突起部と接触する複数の凹凸部と、
を備えたネジ固定機構。
【請求項２】
前記複数の凹凸部は、それぞれの凹凸が前記回転つまみの回転軸方向に沿って形成されている、
請求項１に記載のネジ固定機構。
【請求項３】
前記第２の部材は、前記突起部を有し、
前記回転つまみは、前記複数の凹凸部を有し、
前記突起部は、前記回転軸を中心とする径方向内側に向かう弾性力を有する、
請求項２に記載のネジ固定機構。
【請求項４】
前記第２の部材および前記回転つまみの少なくとも一方に設けられたテーパ部を、さらに備えており、
前記第２の部材および前記回転つまみが所定の範囲内まで近接していくと、前記テーパ部との当接により、前記第２の部材と前記回転つまみとを互いに引き離す方向へ力を生じさせる、
請求項１から３のいずれか１項に記載のネジ固定機構。
【請求項５】
前記突起部と前記複数の凹凸とが嵌合した際には、前記突起部が前記複数の凹凸のそれぞれに連続して乗り上げることでクリック感を生じさせる、
請求項１から４のいずれか１項に記載のネジ固定機構。
【発明の詳細な説明】
【技術分野】
【０００１】
本発明は、肩乗せカメラのビューファインダを固定するためのネジ固定機構に関し、特に、回転機構を用いてビューファインダを固定する機構に関するものである。
【背景技術】
【０００２】
従来、肩乗せカメラのビューファインダとしては、ネジ部が設けられたツマミを回転させてビューファインダを圧接することで固定されるものが知られている。
特許文献１には、ネジ部の回転機構を用いてビューファインダを圧接することにより固定する構造について開示されている。
このように、従来の固定機構は、ネジ部の回転機構によってビューファインダの位置を固定することができる。
【先行技術文献】
【特許文献】
【０００３】
【特許文献１】実開平１−１５４７１号公報
【発明の概要】
【発明が解決しようとする課題】
【０００４】
しかしながら、上記従来のネジ固定機構では、以下に示すような問題点を有している。
すなわち、従来のビューファインダを固定するためのネジ固定機構は、単に、ネジ部の締め付けによってビューファインダを圧接する構造となっている。しかし、このような構造では、ビューファインダに振動や衝撃等が加えられた際に、ネジの緩みが生じて、不意にビューファインダが固定箇所から脱落してしまうおそれがある。
【０００５】
本発明の課題は、ネジの緩みの発生を回避して、ビューファインダの脱落を防止することが可能なネジ固定機構を提供することにある。
【課題を解決するための手段】
【０００６】
本開示に係るネジ固定機構は、第１の部材と、回転つまみと、第２の部材と、突起部と、複数の凹凸部と、を備えている。第１の部材は、雄ネジ部を有する。回転つまみは、雄ネジ部に螺合する雌ネジ部を有する。第２の部材は、第１の部材と回転つまみとの間に設けられている。突起部は、回転つまみおよび第２の部材のいずれか一方に設けられている。複数の凹凸部は、第２の部材および回転つまみのいずれか一方に周方向に沿って設けられており、回転つまみを回転させると雄ネジ部および雌ネジ部によって第１の部材および回転つまみが近接することに伴って、第２の部材および回転つまみが近接していき、第２の部材および回転つまみが所定の距離まで近接した際に突起部と接触する。
【発明の効果】
【０００７】
本発明に係るネジ固定機構によれば、ネジの緩みを防止することでビューファインダの脱落を防止することができる。
【図面の簡単な説明】
【０００８】
【図１】本実施形態に係る肩乗せカメラの構成を示した斜視図。
【図２】図１の肩乗せカメラに装着されたビューファインダ固定装置およびビューファインダ部の構成を示す斜視図。
【図３】図２のビューファインダ固定装置およびビューファインダ部の断面図。
【図４】図２のビューファインダ固定装置の展開図。
【図５】図２のビューファインダ固定装置に含まれるリングの構成を示す斜視図。
【図６】図２のビューファインダ固定装置に含まれるワッシャの構成を示す斜視図。
【図７】図２のビューファインダ固定装置に含まれるリングおよびワッシャの接合部分の構成を示す断面図。
【発明を実施するための形態】
【０００９】
以下、本開示の一実施形態に係るビューファインダ固定装置（ネジ固定機構）１０１について、図面を参照しながら説明する。
なお、以下の説明において使用するＸ，Ｙ，Ｚ方向とは、例えば、図１に示すように、ビューファインダ１０２が装着された肩乗せカメラ１００の使用状態において、被写体に向かう方向がＺ方向、略鉛直方向がＹ方向、これらＺＹ方向に直交する方向がＸ方向を意味している。
【００１０】
まず、図１および図２を用いて肩乗せカメラ１００およびビューファインダ１０２について説明する。
図１は、肩乗せカメラ１００の構成を示す斜視図である。図２は、ビューファインダ固定装置１０１およびビューファインダ１０２の構成を示す斜視図である。
（肩乗せカメラ１００）
肩乗せカメラ１００は、図１に示すように、ビューファインダ固定装置１０１と、ビューファインダ１０２と、レンズ１０３と、ハンドル１０４と、を備えている。
【００１１】
ビューファインダ固定装置１０１は、ネジ機構によって、ビューファインダ１０２を任意の位置に固定する。なお、ビューファインダ固定装置１０１の構成については、後段にて詳述する。
ビューファインダ１０２は、肩乗せカメラ１００のレンズ１０３から取り込まれた画像を映し出す。
【００１２】
レンズ１０３は、被写体画像を取り込み、図示しない撮像素子へ被写体画像を導く。
ハンドル１０４は、使用する際のユーザの持ち手として機能する。そして、ハンドル１０４は、レンズ１０３側の部分にビューファインダ固定装置１０１が設けられている。これにより、ビューファインダ１０２をハンドル１０４のレンズ１０３側の所定の位置に固定することができる。
【００１３】
（ビューファインダ固定装置１０１）
次に、図３および図４を用いて、ビューファインダ固定装置１０１について説明する。
図３は、肩乗せカメラ１００に対してビューファインダ１０２を装着した状態におけるビューファインダ固定装置１０１周辺の断面図である。図４は、ビューファインダ固定装置１０１の展開図である。
【００１４】
ビューファインダ固定装置１０１は、図３および図４に示すように、フレーム１、ネジ２，３、リング（回転つまみ）４、ワッシャ（第２の部材）５、ホルダ（第１の部材）６を有している。
ビューファインダ１０２は、図３に示すように、ビューファインダ固定装置１０１に取り付けられる際に、ホルダ６をガイドとして嵌合するレール１０２ａを有している。このため、ビューファインダ１０２は、ビューファインダ固定装置１０１の部分において、レール１０２ａに沿ってホルダ６が移動することで、図３中Ｘ方向における任意の位置に移動することができる。
【００１５】
（フレーム１）
フレーム１は、図４に示すように、ビューファインダ固定装置１０１を構成する複数の部材のうち、最もハンドル１０４側に配置されており、ビューファインダ固定装置１０１の土台部分を形成する。
（ネジ２，３）
ネジ２は、図３および図４に示すように、ハンドル１０４側からフレーム１に挿入され、ホルダ６をフレーム１に対して固定する。
【００１６】
ネジ３は、図３および図４に示すように、ホルダ６側からハンドル１０４方向に向かってフレーム１に挿入され、ホルダ６が固定されたフレーム１を、ハンドル１０４に対して固定する。
（リング４）
次に、リング（回転つまみ）４の構成について、図５等を用いて説明する。図５は、リング４の構成を示す斜視図である。
【００１７】
リング４は、図４に示すように、略円環状の部材であって、フレーム１とワッシャ５との間に設けられている。また、リング４は、図５に示すように、傾斜部（テーパ部）４ａ、溝４ｂ、内周凹凸部４ｃ、雌ネジ部４ｄ、および外周凹凸部４ｅを有している。
傾斜部４ａは、図３に示すように、ビューファインダ１０２を装着した状態において、リング４におけるビューファインダ１０２側の先端部分に形成されており、外周面が内周側に向かって傾斜している。
【００１８】
溝４ｂは、図３に示すように、ビューファインダ１０２を装着した状態において、ワッシャ５のツメ部５ｂを嵌合させるために、傾斜部４ａと外周凹凸部４ｅとの間における外周面側に設けられている。
内周凹凸部４ｃは、図５に示すように、略円環状のリング４の内周面側における傾斜部４ａの裏面側、つまり図３に示すビューファインダ１０２側に設けられている。内周凹凸部４ｃは、後述する外周凹凸部４ｅと同様に、図５中Ｚ方向に沿って形成された複数の溝と、これらの溝の両側に隣接する凸部分とによって形成されている。そして、内周凹凸部４ｃは、後述するワッシャ５のダボ（突起部）５ｃ（図６参照）に接触しながらリング４を回転させることで、ビューファインダ１０２を装着中のユーザはクリック感を感じることができるとともに、使用時におけるリング４の緩み防止機構としても機能する。
【００１９】
雌ネジ部４ｄは、リング４の内周面に沿って形成されており、ホルダ６側の雄ネジ部６ａに螺合させることで、ビューファインダ１０２を肩乗せカメラ１００に装着することができる。よって、リング４は、雌ネジ部４ｄをホルダ６側の雄ネジ部６ａに螺合させた状態で回転させることで、図中におけるＺ方向に移動させて、ビューファインダ１０２の固定状態と解除状態とを切り替えることができる。
【００２０】
外周凹凸部４ｅは、図５中Ｚ方向に沿って形成された複数の溝と、これらの溝の両側に隣接する凸部分とによって形成されている。また、外周凹凸部４ｅは、ビューファインダ１０２を肩乗せカメラ１００に装着するためにリング４を回転させる際に、ユーザの持ち手部分となる。
以上のことから、ユーザは、右手方向をＸ方向の正方向とし、上手方向をＹ方向の正方向とした方向からの視界を正面視として、リング４を反時計回りに回転させることで、Ｚ方向の正方向にリング４を移動させることができる。また、反対に、ユーザは、リング４を時計回りに回転させることで、Ｚ方向の負方向にリング４を移動させることができる。
【００２１】
（ワッシャ５）
次に、ワッシャ（第２の部材）５の構成について、図６等を用いて説明する。図６は、ワッシャ５の構成を示す斜視図である。
ワッシャ５は、図３および図４に示すように、リング４とホルダ６との間に設けられており、リング４の外周に形成された溝４ｂに嵌合するように取り付けられる。また、ワッシャ５は、図６に示すように、略円環状の部材であって、傾斜部（テーパ部）５ａ、ツメ部５ｂ、ダボ５ｃを有している。
【００２２】
傾斜部５ａは、図６に示すように、略円環状のワッシャ５の内周面における互いに対向する２箇所に設けられている。また、傾斜部５ａは、図３に示すように、リング４が装着された状態において、リング４側の傾斜部４ａに対向して配置されており、リング４側の傾斜部４ａから、Ｚ方向における正方向に向かう力を受ける。
ツメ部５ｂは、図６に示すように、略円環状のワッシャ５の内周面における互いに対向する２箇所と、これら２箇所に対して９０度回転した位置において互いに対向する２箇所の計４箇所に設けられている。また、ツメ部５ｂは、ワッシャ５の内周面から径方向内側に向かって突出している。このため、ツメ部５ｂは、図３に示すように、上述したリング４の外周面に形成された溝４ｂ内に嵌合する。これにより、図３に示すように、リング４の傾斜部４ａ側の端部を覆うように、ワッシャ５を取り付けることができる。
【００２３】
また、ツメ部５ｂは、リング４の外周面に形成された溝４ｂ内に嵌合した状態で、Z方向において移動可能となっている。つまり、ビューファインダ１０２を肩乗せカメラ１００に対して装着するために、ビューファインダ固定装置１０１のリング４を回転させていくと、リング４側の雌ネジ部４ｄとホルダ６側の雄ネジ部６ａとが螺合していることで、ワッシャ５に対するリング４の相対位置が変化する。このため、ビューファインダ１０２を装着する際には、ワッシャ５側のツメ部５ｂがリング４側の溝４ｂに嵌合した状態のまま、リング４をワッシャ５に対して前進させることができる。
【００２４】
ダボ５ｃは、図６に示すように、ワッシャ５における図６中Ｚ方向に垂直な面からＺ方向に突出するように立設された壁部であって、径方向内側に向かって弾性力を有している（図６中一点差線参照）。また、ダボ５ｃは、図３に示すリング４に装着された状態においては、Ｚ方向におけるリング４に対する相対位置が所定の位置よりも近づくと、リング４の内周面に形成された内周凹凸部４ｃに接触してクリック感を発生させる。
【００２５】
これにより、ビューファインダ固定装置１０１のリング４の部分を回転させながらビューファインダ１０２を装着するユーザにクリック感を感じさせることで、締め付け完了までの目安をつけることができる。
また、ビューファインダ１０２が装着された状態において、リング４側の内周凹凸部４ｃにダボ５ｃが接触した状態となっていることで、使用中に肩乗せカメラ１００やビューファインダ１０２に対して振動や衝撃が加えられた場合でも、ダボ５ｃと内周凹凸部４ｃとの接触が、リング４の回転抵抗となって、リング４が緩んでしまうことを防止することができる。
【００２６】
（ホルダ６）
ホルダ（第１の部材）６は、図３に示すように、ネジ２によってフレーム１に固定されている。また、ホルダ６は、フレーム１に固定された状態で、ネジ３によってハンドル１０４に固定される。
また、ホルダ６は、図４に示すように、略円筒状の部材であって、外周部分に形成された雄ネジ部６ａを有している。
【００２７】
雄ネジ部６ａは、図３に示すように、リング４の内周面に形成された雌ネジ部４ｄと螺合することで、ビューファインダ１０２を肩乗せカメラ１００側に装着することができる。
＜ビューファインダ固定装置１０１におけるリング４とワッシャ５との係合関係＞
次に、図７を用いて、ビューファインダ固定装置１０１におけるリング４とワッシャ５との係合関係について説明する。
【００２８】
図７は、ビューファインダ固定装置１０１におけるリング４とワッシャ５とが係合した部分の断面図である。
上述したように、ワッシャ５は、傾斜部５ａ、ツメ部５ｂ、ダボ５ｃを有している。
傾斜部５ａは、図７に示す係合状態では、リング４側の傾斜部４ａと当接した状態となるため、傾斜部４ａからＺ方向正方向に向かう力を受ける。また、ツメ部５ｂは、リング４側の溝４ｂ内に嵌合した状態となっている。このため、リング４を回転させた初期段階では、ワッシャ５側の傾斜部５ａに対して付与されるリング４側の傾斜部４ａからのＺ方向正方向に向かう力によって、リング４とワッシャ５との距離は一定に保持される。
【００２９】
次に、リング４と一定の距離を保持した状態でＺ方向正方向に移動したワッシャ５は、やがてビューファインダ１０２のレール１０２ａに接触した位置においてＺ方向正方向における移動を停止する。一方、リング４は、さらにＺ方向正方向に移動させることができるため、リング４とワッシャ５との相対的な位置関係は、リング４の回転とともに縮まっていく。この結果、ワッシャ５に対してリング４が所定の位置まで接近すると、リング４側の内周凹凸部４ｃにワッシャ５側のダボ５ｃが接触し始める。これ以降、リング４の回転とともに、クリック感が生じる。
【００３０】
このクリック感は、径方向内側に向かって弾性力を有するダボ５ｃの端部が、リング４側の内周凹凸部４ｃの凸部分を乗り越える度に生じる感覚である。
そして、最終的には、Ｚ方向正方向に移動したリング４は、ワッシャ５をビューファインダ１０２のレール１０２ａの外側の面に当接させることで、ビューファインダ１０２をＸ方向における任意の位置に固定することができる。
【００３１】
本実施形態のビューファインダ固定装置１０１では、以上のように、リング４を回転させながらビューファインダ１０２を肩乗せカメラ１００側に固定する機構において、ユーザは、クリック感を感じた段階で締め付け完了までの目安をつけることができる。
ここで、通常のネジ機構であればネジ部の緩み防止機構が無いため、緩みを確認する度にネジ部の締付作業を繰り返さなければならなかった。
【００３２】
しかし、本実施形態のビューファインダ固定装置１０１によれば、上記のような構成を備えていることで、ビューファインダ１０２の固定が完了した状態では、径方向内側に向かって弾性力を有するダボ５ｃがリング４側の内周凹凸部４ｃに接触した状態となっている。このため、リング４を緩めるために逆回転させるためには、締め付ける際と同様に、ダボ５ｃが内周凹凸部４ｃの凹凸を乗り越える必要がある。
【００３３】
よって、ビューファインダ１０２を装着した状態において、肩乗せカメラ１００やビューファインダ１０２に対して衝撃や振動が付与された場合でも、リング４におけるネジの緩みを防止することができる。この結果、ユーザが意図せずにリング４が逆回転してネジが緩んでしまい、ビューファインダ１０２が肩乗せカメラ１００から脱落してしまうことを防止することができる。
【００３４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、図５に示すように、ネジの緩み止めとして機能するクリック感を生じさせる内周凹凸部４ｃが、リング４の回転軸方向（Ｚ方向）に沿って形成されている例を挙げて説明した。しかし、本発明はこれに限定されるものではない。
【００３５】
例えば、内周凹凸部４ｃは、リング４の回転軸方向に対して所定の傾きを有する状態で形成された溝であってもよい。
（Ｂ）
上記実施形態では、ワッシャ５側のダボ５ｃとリング４側の内周凹凸部４ｃとが互いに接触することで、ネジ部分の緩み止め機能を生じさせる例を挙げて説明した。しかし、本発明はこれに限定されるものではない。
【００３６】
例えば、ネジ部分の緩み止め機能は、ワッシャ５側に形成された凹凸部と、リング４側に形成されたダボとを組み合わせた構成に持たせてもよい。
（Ｃ）
上記実施形態では、リング４側の傾斜部４ａとワッシャ５側の傾斜部５ａとＺ方向正方向における力を生じさせる例を挙げて説明した。しかし、本発明はこれに限定されるものではない。
【００３７】
例えば、上記Ｚ方向正方向における力を、リング４とワッシャ５との間に一部品追加することで生じさせてもよい。
（Ｄ）
上記実施形態では、リング４とワッシャ５とを係合させた状態において、互いに当接する部分の双方に、それぞれテーパ部としての傾斜部４ａ，５ａを設けた例を挙げて説明した。しかし、本発明はこれに限定されるものではない。
【００３８】
例えば、テーパ部がリングあるいはワッシャの一方にだけ設けられていてもよい。
この場合でも、当接部分の一方に設けられたテーパ部が対向する部分に当接することにより、互いを引き離す方向に力を生じさせることができる。
（Ｅ）
上記実施形態では、本開示に係るネジ固定機構を、ビューファインダ固定装置１０１に対して適用した例を挙げて説明した。しかし、本発明はこれに限定されるものではない。
【００３９】
例えば、他の構造物を固定するネジ固定機構に対して、本開示に係る構成を適用してもよい。
【産業上の利用可能性】
【００４０】
本発明のネジ固定機構は、ネジの緩みを防止することでビューファインダの脱落を防止することができるという効果を奏するものであることから、上述した肩乗せカメラのビューファインダを固定する機構以外にも広く適用可能である。
【符号の説明】
【００４１】
１      フレーム
２      ネジ
３      ネジ
４      リング（回転つまみ）
４ａ    傾斜部（テーパ部）
４ｂ    溝
４ｃ    内周凹凸部
４ｄ    雌ネジ部
４ｅ    外周凹凸部
５      ワッシャ（第２の部材）
５ａ    傾斜部（テーパ部）
５ｂ    ツメ部
５ｃ    ダボ（突起部）
６      ホルダ（第1の部材）
６ａ    雄ネジ部
１００      肩乗せカメラ
１０１      ビューファインダ固定装置（ネジ固定機構）
１０２      ビューファインダ
１０２ａ    レール
１０３      レンズ
１０４      ハンドル
【図１】
2014074883.tif 000003
【図２】
2014074883.tif 000004
【図３】
2014074883.tif 000005
【図４】
2014074883.tif 000006
【図５】
2014074883.tif 000007
【図６】
2014074883.tif 000008
【図７】
2014074883.tif 000009